【手続補正書】
【提出日】平成29年9月22日(2017.9.22)
【手続補正１】
【補正対象書類名】特許請求の範囲
【補正対象項目名】全文
【補正方法】変更
【補正の内容】
【特許請求の範囲】
【請求項１】
相変化インク組成物であって、
ワックスを含む相変化担体組成物と、約７００ｎｍ〜約１４００ｎｍの波長領域に最大吸収を有するワックス可溶性近赤外（ＮＩＲ）染料とを含み、
前記ワックス可溶性ＮＩＲ染料が、式（ＩＩ）、（ＩＩＩ）または（ＩＶ）、これらの互変異性体、またはこれらの塩によって表され、式（ＩＩ）、（ＩＩＩ）および（ＩＶ）は、
【化１】
2015044994.tif 000001
であり、
Ｒ３、Ｒ４、Ｒ７、Ｒ８、Ｒ９およびＲ１０は、それぞれ独立して、（ａ）Ｎ、ＳおよびＯのうち、少なくとも１つを含む置換または非置換のヘテロ環基；（ｂ）置換または非置換のシクロアルキル基；（ｃ）置換または非置換のアリール基；および（ｄ）置換または非置換のアラルキル基からなる群から選択される少なくとも１つの環状基を含む環状基を含有する残基であり；
Ｒ３およびＲ４の少なくとも１つは、置換または非置換のペリミジン基を含み、
Ｒ７およびＲ８の少なくとも１つは、置換または非置換のペリミジン基を含み、
Ｒ９およびＲ１０の少なくとも１つは、置換または非置換のペリミジン基を含み、
Ｒ３、Ｒ４、Ｒ７、Ｒ８、Ｒ９およびＲ１０は、それぞれ独立して、１０〜１５０個の炭素原子を含み；
Ｒ５およびＲ６は、それぞれ独立して、Ｈおよび１〜６個の炭素原子を含むアルキル基から選択され；
Ｘは、
【化２】
2015044994.tif 000002
であり、
ｎは、１〜５であり、
前記相変化インク組成物が、室温で固相である、相変化インク組成物。
【請求項２】
前記ワックス可溶性ＮＩＲ染料は、約７００ｎｍ〜約９００ｎｍの波長領域に最大吸収を有する、請求項１に記載の相変化インク組成物。
【請求項３】
前記ワックスは、約２００Ｄａ〜約５，０００Ｄａの分子量を有するポリエチレンワックスである、請求項１に記載の相変化インク組成物。
【請求項４】
前記相変化インク組成物の合計重量に対し、約０．１重量％および約８０重量％の前記ワックスを含む、請求項１に記載の相変化インク組成物。
【請求項５】
前記相変化インク組成物の合計重量に対し、約０．０１重量％〜約２０重量％の前記ワックス可溶性ＮＩＲ染料を含む、請求項１に記載の相変化インク組成物。
【請求項６】
Ｒ３、Ｒ４、Ｒ７、Ｒ８、Ｒ９およびＲ１０のそれぞれが、置換または非置換のピリミジン基を含む、請求項１に記載の相変化インク組成物。
【請求項７】
Ｒ３、Ｒ４、Ｒ７、Ｒ８、Ｒ９およびＲ１０の少なくとも１つは、前記環状基を含有する残基に加え、５〜５０個の炭素原子を含む少なくとも１つの直鎖アルキル基を含む、請求項１に記載の相変化インク組成物。
【請求項８】
（ｉ）Ｒ３およびＲ４は、それぞれ独立して、
【化３】
2015044994.tif 000003
からなる群から選択され、
（ｉｉ）Ｒ５およびＲ６は、それぞれ独立して、Ｈおよび１〜６個の炭素原子を有するアルキル基から選択され、 
（ｉｉｉ）Ｒ７およびＲ８は、それぞれ独立して、
【化４】
2015044994.tif 000004
からなる群から選択され、 
（ｉｖ）Ｒ９およびＲ１０は、それぞれ独立して、
【化５】
2015044994.tif 000005
からなる群から選択される、
請求項１に記載の相変化インク組成物。
【請求項９】
前記相変化担体組成物が、（ａ）少なくとも１つの第１のアルコールと第１のイソシアネートとの反応生成物であり、前記第１のアルコールが、ヒドロアビエチルアルコール、オクチルフェノールエトキシレートおよびオクタデシルアルコールからなる群から選択される、ウレタン樹脂；および／または（ｂ）少なくとも１つの第２のアルコール、第２のイソシアネートおよび少なくとも１つのモノアミンの反応生成物であるウレタン／尿素樹脂；および（ｃ）少なくとも１つのモノアミド；および（ｄ）少なくとも１つのポリエチレンワックスを含有する、請求項１に記載の相変化インク組成物。
【請求項１０】
前記第２のアルコールが、ヒドロアビエチルアルコール、オクチルフェノールエトキシレートおよびオクタデシルアルコールからなる群から選択される、請求項９に記載の相変化インク組成物。
【請求項１１】
前記第２のイソシアネートが、モノイソシアネート、ジイソシアネート、トリイソシアネート、ジイソシアネートのコポリマー、およびトリイソシアネートのコポリマーからなる群から選択される、請求項９に記載の相変化インク組成物。
【請求項１２】
前記第２のイソシアネートがイソホロンジイソシアネートである、請求項９に記載の相変化インク組成物。
【請求項１３】
前記モノアミンが、脂肪族モノアミン、芳香族モノアミン、脂肪族／芳香族モノアミン、縮合環系モノアミンおよびヒドロキシル／アミノ含有化合物からなる群から選択される、請求項９に記載の相変化インク組成物。
【請求項１４】
前記モノアミンがオクタデシルアミンである、請求項９に記載の相変化インク組成物。
【請求項１５】
前記モノアミンがステアリルステアリン酸アミドである、請求項９に記載の相変化インク組成物。
【請求項１６】
基材の表面に相変化インクの層を製造する方法であって、前記方法は、
（１）（ａ）相変化担体組成物および（ｂ）約７００ｎｍ〜約１４００ｎｍの波長領域に最大吸収を有するワックス可溶性近赤外（ＮＩＲ）染料の混合物を含む固相の相変化インク組成物を印刷装置で使用する工程であって、
前記相変化担体組成物は、（ｉ）少なくとも１つの第１のアルコールと第１のイソシアネートとの反応生成物であるウレタン樹脂；および／または（ｉｉ）少なくとも１つの第２のアルコール、第２のイソシアネートおよび少なくとも１つのモノアミンの反応生成物であるウレタン／尿素樹脂；および（ｉｉｉ）少なくとも１つのモノアミド；および（ｉｖ）少なくとも１つのポリエチレンワックスを含み、
前記ワックス可溶性ＮＩＲ染料は、式（ＩＩ）、（ＩＩＩ）または（ＩＶ）、これらの互変異性体、またはこれらの塩によって表され、式（ＩＩ）、（ＩＩＩ）および（ＩＶ）は、
【化６】
2015044994.tif 000006
であり、
Ｒ３、Ｒ４、Ｒ７、Ｒ８、Ｒ９およびＲ１０は、それぞれ独立して、（ａ）Ｎ、ＳおよびＯのうち、少なくとも１つを含む置換または非置換のヘテロ環基；（ｂ）置換または非置換のシクロアルキル基；（ｃ）置換または非置換のアリール基；および（ｄ）置換または非置換のアラルキル基からなる群から選択される少なくとも１つの環状基を含む環状基を含有する残基であり；
Ｒ３およびＲ４の少なくとも１つは、置換または非置換のペリミジン基を含み、
Ｒ７およびＲ８の少なくとも１つは、置換または非置換のペリミジン基を含み、
Ｒ９およびＲ１０の少なくとも１つは、置換または非置換のペリミジン基を含み、
Ｒ３、Ｒ４、Ｒ７、Ｒ８、Ｒ９およびＲ１０は、それぞれ独立して、１０〜１５０個の炭素原子を含み；
Ｒ５およびＲ６は、それぞれ独立して、Ｈおよび１〜６個の炭素原子を含むアルキル基から選択され；
Ｘは、
【化７】
2015044994.tif 000007
であり、
ｎは、１〜５であり、
前記相変化インク組成物が、室温で固相である、工程と、
（２）中間転写表面に、前記相変化組成物を所望のパターンになるように塗布する工程と、
（３）前記基材の表面に、前記相変化インク組成物の所望のパターンを転写する工程と、
を含む、方法。
【請求項１７】
基材と、前記基材の表面に配置された相変化インク組成物とを含む近赤外印刷物であって、
前記相変化インク組成物は、ワックスを含む相変化担体組成物と、約７００ｎｍ〜約１４００ｎｍの波長領域に最大吸収を有するワックス可溶性近赤外（ＮＩＲ）染料とを含み、
前記ワックス可溶性ＮＩＲ染料は、式（ＩＩ）、（ＩＩＩ）または（ＩＶ）、これらの互変異性体、またはこれらの塩によって表され、式（ＩＩ）、（ＩＩＩ）および（ＩＶ）は、
【化８】
2015044994.tif 000008
であり、
Ｒ３、Ｒ４、Ｒ７、Ｒ８、Ｒ９およびＲ１０は、それぞれ独立して、（ａ）Ｎ、ＳおよびＯのうち、少なくとも１つを含む置換または非置換のヘテロ環基；（ｂ）置換または非置換のシクロアルキル基；（ｃ）置換または非置換のアリール基；および（ｄ）置換または非置換のアラルキル基からなる群から選択される少なくとも１つの環状基を含む環状基を含有する残基であり；
Ｒ３およびＲ４の少なくとも１つは、置換または非置換のペリミジン基を含み、
Ｒ７およびＲ８の少なくとも１つは、置換または非置換のペリミジン基を含み、
Ｒ９およびＲ１０の少なくとも１つは、置換または非置換のペリミジン基を含み、
Ｒ３、Ｒ４、Ｒ７、Ｒ８、Ｒ９およびＲ１０は、それぞれ独立して、１０〜１５０個の炭素原子を含み；
Ｒ５およびＲ６は、それぞれ独立して、Ｈおよび１〜６個の炭素原子を含むアルキル基から選択され；
Ｘは、
【化９】
2015044994.tif 000009
であり、
ｎは、１〜５であり、
前記相変化インク組成物が、室温で固相である、近赤外印刷物。
【手続補正２】
【補正対象書類名】明細書
【補正対象項目名】発明の名称
【補正方法】変更
【補正の内容】
【発明の名称】相変化インク組成物、方法および近赤外印刷物